(57)【要約】【課題】  本発明は、他装置と誤接続されることによる、自機が出力した信号が他装置を迂回して自機の入力回路に戻ってくる異常状態であるか判定する信号処理装置を提供することを目的とする。【解決手段】  抽出部４０２は、入力された信号から、自機に固有の信号及び時刻を示す信号を含む判定信号を抽出し、判定部４０７は、判定信号が、自機が直前に付加ものであるか否かを判定する。自機が直前に付加したものであれば、制御部４０３に信号経路の切断を要求する。自機が直前に付加したものでなければ、前記判定信号を出力信号に付加するよう付加部４０８に指示する。【選択図】図３
2006196108.tif 000002
【特許請求の範囲】
【請求項１】
自機が出力した信号が自機の入力回路に戻ってくる異常状態であるか判定する信号処理装置であって、
入力回路と、
前記入力回路が受信した入力信号が、自機が直前に付加した判定信号を含むか否かを判定する判定手段と、
前記判定手段により含むと判定される場合に、前記入力信号を所定大きさ以下に制限して出力し、又は前記入力信号の出力を禁止する制限手段と
を備えることを特徴とする信号処理装置。
【請求項２】
前記判定信号は、自機に固有の固有信号を含み、
前記判定手段は、
前記固有信号を保持している保持部と、
前記入力信号の中から前記固有信号を検索する検索部とを含み、
前記固有信号が発見される場合に前記入力信号が前記判定信号を含むと決定する
ことを特徴とする請求項１に記載の信号処理装置。
【請求項３】
前記判定信号は、特定の識別信号と、前記識別信号に後続して自機に固有の固有信号とを含み、
前記判定手段は、
前記固有信号を保持している保持部と、
前記入力信号の中から前記識別信号を検索し、前記識別信号を発見した場合に、前記識別信号に後続する信号を抽出し、抽出した信号が前記固有信号と一致するか否かを判定する判定部とを含み、
一致すると判定される場合に前記入力信号が前記判定信号を含むと決定する
ことを特徴とする請求項１に記載の信号処理装置。
【請求項４】
前記判定信号は、特定の識別信号と、前記識別信号に後続して自機が以前に生成した乱数とを含み、
前記判定手段は、
前記乱数を保持している保持部と、
前記入力信号の中から前記識別信号を検索し、前記識別信号を発見した場合に、前記識別信号に後続する信号を抽出し、抽出した信号が前記乱数と一致するか否かを判定する判定部とを含み、
一致すると判定される場合に前記入力信号が前記判定信号を含むと決定する
ことを特徴とする請求項１に記載の信号処理装置。
【請求項５】
前記判定信号は、特定の識別信号と、前記識別信号に後続し前記判定信号が付加された時刻を示す時刻信号とを含み、
前記判定手段は、
現在時刻を計測する時計部と、
前記入力信号の中から、前記識別信号を検索する検索部と、
前記識別信号が発見された場合に、前記識別信号に後続する時刻信号を抽出し、抽出した時刻信号により示される時刻と、前記時計部により計測される現在時刻との差が所定時間内であるかを判定する時刻判定部とを含み、
差が所定時間内である場合に、前記入力信号が前記判定信号を含むと決定する
ことを特徴とする請求項１に記載の信号処理装置。
【請求項６】
前記信号処理装置は、さらに、
出力信号に前記判定信号を付加する付加手段と、
前記判定信号が付加された出力信号を出力する出力手段と
を含むことを特徴とする請求項１に記載の信号処理装置。
【請求項７】
前記付加手段は、
自機に固有の固有信号を保持している保持部と、
前記出力信号に前記固有信号を含む前記判定信号を付加する付加部と
を含むことを特徴とする請求項６に記載の信号処理装置。
【請求項８】
前記付加手段は、
自機に固有の固有信号を保持している保持部と、
特定の識別信号と、前記識別信号に後続して前記固有信号とを含む判定信号を生成する生成部と、
前記出力信号に前記判定信号を付加する付加部と
を含むことを特徴とする請求項６に記載の信号処理装置。
【請求項９】
前記付加手段は、
自機が以前に生成した乱数を保持している保持部と、
特定の識別信号と、前記識別信号に後続して前記乱数とを含む判定信号を生成する生成部と、
前記出力信号に前記判定信号を付加する付加部と
を含むことを特徴とする請求項６に記載の信号処理装置。
【請求項１０】
前記付加手段は、
乱数を生成する乱数生成部と、
前記乱数を保持する保持部と、
前記出力信号に前記乱数を含む前記判定信号を付加する付加部と、
前記出力手段による出力が行われてからの経過時間を計測し、前記経過時間が所定時間に至った場合に、前記所定時間の経過を通知するタイマと、
前記タイマからの通知を取得し、前記保持部により保持されている前記乱数を無効な信号に書き換える書換部と
を含むことを特徴とする請求項６に記載の信号処理装置。
【請求項１１】
前記付加手段は、
現在時刻を計測する時計部と、
前記時計部から現在時刻を取得し、特定の識別信号と、前記識別信号に後続して前記現在時刻を示す時刻信号とを含む判定信号を生成する生成部と、
前記出力信号に前記判定信号を付加する付加部と
を含むことを特徴とする請求項６に記載の信号処理装置。
【請求項１２】
前記信号処理装置は、さらに、
前記判定手段により含むと判定される場合に、ユーザへの警告を示す警告信号を出力する警告手段
を備えることを特徴とする請求項１に記載の信号処理装置。
【請求項１３】
自機が出力した信号が自機の入力回路に戻ってくる異常状態であるか判定する信号処理装置において用いられる信号処理方法であって、
信号を受信する入力ステップと、
入力ステップにより受信された入力信号が、自機が直前に付加した判定信号を含むか否かを判定する判定ステップと、
前記判定ステップにより含むと判定される場合に、前記入力信号を所定大きさ以下に制限して出力し、又は前記入力信号の出力を禁止する制限ステップと
を含むことを特徴とする信号処理方法。
【請求項１４】
自機が出力した信号が自機の入力回路に戻ってくる異常状態であるか判定する信号処理装置において用いられるコンピュータプログラムであって、
信号を受信する入力ステップと、
入力ステップにより受信された入力信号が、自機が直前に付加した判定信号を含むか否かを判定する判定ステップと、
前記判定ステップにより含むと判定される場合に、前記入力信号を所定大きさ以下に制限して出力し、又は前記入力信号の出力を禁止する制限ステップと
をコンピュータに実行させることを特徴とするコンピュータプログラム。
【請求項１５】
コンピュータ読み取り可能な記録媒体であって、請求項１４に記載のコンピュータプログラムを記録している
ことを特徴とする記録媒体。
【発明の詳細な説明】
【技術分野】
【０００１】
本発明は、信号処理装置であって、他装置との誤接続を検出する技術に関する。
【背景技術】
【０００２】
ユーザが、映像、音声信号をダビングするために、ハードディスクレコーダ、ビデオデッキ等の録画再生装置を２台接続することは、日常よく行われることである。
この場合、前記ユーザは、再生用の第１の録画再生装置の信号出力端子を、録画用の第２の録画再生装置の信号入力端子とケーブル接続し、また、録画される映像、音声信号をモニタするために、第２の録画再生装置の信号出力端子と、テレビ受像器の信号入力端子をケーブル接続する。
【０００３】
前記ダビング動作を開始した場合には、第１の録画再生装置が映像、音声信号を出力し、第２の録画再生装置が第１の録画再生装置により出力された信号を受信して記録するとともに、記録している信号と同じ信号を前記テレビ受像器に対し出力し、前記テレビ受像器は、第２の録画再生装置から受信した映像信号をモニタに表示し、音声信号をスピーカから出力する。
【０００４】
通常、ハードディスクレコーダ、ビデオデッキ等の録画再生装置は、映像、音声信号が外部から入力された場合、外部入力された信号を増幅して出力する。
【特許文献１】特開平１１−３３１３５７号公報
【発明の開示】
【発明が解決しようとする課題】
【０００５】
ところが、ユーザが誤って装置間を接続することにより、第１の録画再生装置の出力端子を第２の録画再生装置の入力端子に接続し、第２の録画再生装置の出力端子を第１の録画再生装置の入力端子に接続した場合には、第１及び第２の録画再生装置内部で発生するノイズ信号等が、第１の録画再生装置で増幅されて第２の録画再生装置へ出力され、当該増幅されたノイズ信号が第２の録画再生装置内で更に増幅されて第１の録画再生装置に出力されるということが繰り返されることとなる。
【０００６】
これにより、ノイズ信号が無限に増幅され、増幅された信号が外部へ出力されテレビ受像器などの機器で再生されると、ユーザは、過大なノイズ信号による映像と音声とを視聴することとなり大変不快な思いをする。また、録画再生装置においては、過大な信号の入出力が繰り返し行われることにより、信号の伝送経路内の半導体素子等に破壊が生じることもある。
【０００７】
上記の問題に鑑み、本発明は、自機が出力した信号が短時間内に再度入力されるかを判定し、再度入力されている場合であっても信号が無限に増幅されることを防ぐことができる信号処理装置を提供することを目的とする。
【課題を解決するための手段】
【０００８】
上記問題を解決するために、本発明は、自機が出力した信号が自機の入力回路に戻ってくる異常状態であるか判定する信号処理装置であって、入力回路と、前記入力回路が受信した入力信号が、自機が直前に付加した判定信号を含むか否かを判定する判定手段と、前記判定手段により含むと判定される場合に、前記入力信号を所定大きさ以下に制限して出力し、又は前記入力信号の出力を禁止する制限手段とを備えることを特徴とする。
【発明の効果】
【０００９】
本発明の信号処理装置は、上述の構成を備えることにより、入力信号が自機が直前に付加した前記判定信号を含む場合に、前記入力信号を所定大きさ以下に制限して出力し、又は前記入力信号の出力を禁止するので、自機が出力した信号が、ケーブルや他の装置を介し、短時間内に再度自機へ入力される場合であっても、信号の増幅が無限に繰り返されることを防ぐことができる。その結果、ユーザは、過大な信号による音声や映像を視聴せずにすみ、また自機、前記他の装置における半導体素子の破壊を防ぐことができる。
【００１０】
また、前記判定信号は、自機に固有の固有信号を含み、前記判定手段は、前記固有信号を保持している保持部と、前記入力信号の中から前記固有信号を検索する検索部とを含み、前記固有信号が発見される場合に前記入力信号が前記判定信号を含むと決定してもよい。
この構成によれば、前記判定信号が自機に固有の固有信号を含んでおり、前記検索部が前記入力信号の中から前記固有信号を検索するので、前記信号処理装置は、当該検索により前記固有信号を発見した場合には自機が出力した信号が再度入力されたと判定し、前記固有信号を発見できなかった場合には自機が出力した信号が再度入力されていないと判定することができる。
【００１１】
また、前記判定信号は、特定の識別信号と、前記識別信号に後続して自機に固有の固有信号とを含み、前記判定手段は、前記固有信号を保持している保持部と、前記入力信号の中から前記識別信号を検索し、前記識別信号を発見した場合に、前記識別信号に後続する信号を抽出し、抽出した信号が前記固有信号と一致するか否かを判定する判定部とを含み、一致すると判定される場合に前記入力信号が前記判定信号を含むと決定してもよい。
【００１２】
この構成によれば、前記判定信号が自機に固有の固有信号を含んでおり、前記判定部が前記入力信号の中から前記固有信号を検索するので、前記信号処理装置は、当該検索により前記固有信号を発見した場合には自機が出力した信号が再度入力されたと判定し、前記固有信号を発見できなかった場合には自機が出力した信号が再度入力されていないと判定することができる。また、前記判定信号は、前記固有信号に先行して前記識別信号を含むので、前記信号処理装置は、前記識別信号に後続する前記固有信号を、前記入力信号中の他の信号と容易に区別して抽出することができる。
【００１３】
また、前記判定信号は、特定の識別信号と、前記識別信号に後続して自機が以前に生成した乱数とを含み、前記判定手段は、前記乱数を保持している保持部と、前記入力信号の中から前記識別信号を検索し、前記識別信号を発見した場合に、前記識別信号に後続する信号を抽出し、抽出した信号が前記乱数と一致するか否かを判定する判定部とを含み、一致すると判定される場合に前記入力信号が前記判定信号を含むと決定してもよい。
【００１４】
この構成によれば、前記判定信号が前記乱数を含んでおり、前記検索部が前記入力信号の中から前記乱数を検索するので、前記信号処理装置は、当該検索により前記乱数を発見した場合には自機が出力した信号が再度入力されたと判定し、前記乱数を発見できなかった場合には自機が出力した信号が再度入力されていないと判定することができる。また、前記判定信号は、前記乱数に先行して前記識別信号を含むので、前記信号処理装置は、前記識別信号に後続する前記乱数を、前記入力信号中の他の信号と容易に区別して抽出することができる。
【００１５】
また、前記判定信号は、特定の識別信号と、前記識別信号に後続し前記判定信号が付加された時刻を示す時刻信号とを含み、前記判定手段は、
現在時刻を計測する時計部と、前記入力信号の中から、前記識別信号を検索する検索部と、前記識別信号が発見された場合に、前記識別信号に後続する時刻信号を抽出し、抽出した時刻信号により示される時刻と、前記時計部により計測される現在時刻との差が所定時間内であるかを判定する時刻判定部とを含み、差が所定時間内である場合に、前記入力信号が前記判定信号を含むと決定してもよい。
【００１６】
この構成によれば、前記判定信号が、当該判定信号が付加された時刻を示す時刻信号を含んでおり、前記時刻判定部が、前記時刻信号により示される時刻と、前記時計部により計測される現在時刻との差が所定時間内であるか否かを判定するので、前記信号処理装置は、前記入力信号が、出力されてから短時間内に再度入力されたものであるかを判定できる。また、前記判定信号は、前記時刻信号に先行して前記識別信号を含むので、前記信号処理装置は、前記識別信号に後続する前記時刻信号を、前記入力信号中の他の信号と容易に区別して抽出することができる。
【００１７】
また、前記信号処理装置は、さらに、出力信号に前記判定信号を付加する付加手段と、前記判定信号が付加された出力信号を出力する出力手段とを含んでもよい。
この構成によれば、前記付加手段が前記出力信号に前記判定信号を付加するので、前記信号処理装置は、前記入力信号が前記判定信号を含むか否かを判定することにより、前記入力信号は自機が出力した信号が再度入力されたものであるか否かを判定できる。
【００１８】
また、前記付加手段は、自機に固有の固有信号を保持している保持部と、前記出力信号に前記固有信号を含む前記判定信号を付加する付加部とを含んでもよい。
この構成によれば、前記付加部が前記出力信号に前記判定信号を付加するので、前記信号処理装置は、前記入力信号が前記判定信号を含むか否かを判定することにより、前記入力信号が、自機が出力した信号が再度入力されたものであるか否かを判定できる。
【００１９】
また、前記付加手段は、自機に固有の固有信号を保持している保持部と、特定の識別信号と、前記識別信号に後続して前記固有信号とを含む判定信号を生成する生成部と、前記出力信号に前記判定信号を付加する付加部とを含んでもよい。
この構成によれば、前記付加部が、前記出力信号に対し自機に固有の固有信号を含む前記判定信号を付加するので、前記信号処理装置は、前記入力信号が前記判定信号を含むか否かを判定することにより、前記入力信号が、自機が出力した信号が再度入力されたものであるか否かを判定できる。
【００２０】
また、前記付加手段は、自機が以前に生成した乱数を保持している保持部と、特定の識別信号と、前記識別信号に後続して前記乱数とを含む判定信号を生成する生成部と、前記出力信号に前記判定信号を付加する付加部とを含んでもよい。
この構成によれば、前記付加部が、前記出力信号に対し自身が以前に生成した乱数を含む前記判定信号を付加するので、前記信号処理装置は、前記入力信号に前記判定信号を含むか否かを判定することにより、前記入力信号が、自機が出力した信号が再度入力されたものであるか否かを判定できる。
【００２１】
また、前記付加手段は、乱数を生成する乱数生成部と、前記乱数を保持する保持部と、前記出力信号に前記乱数を含む前記判定信号を付加する付加部と、前記出力手段による出力が行われてからの経過時間を計測し、前記経過時間が所定時間に至った場合に、前記所定時間の経過を通知するタイマと、前記タイマからの通知を取得し、前記保持部により保持されている前記乱数を無効な信号に書き換える書換部とを含んでもよい。
【００２２】
この構成によれば、前記付加部が、前記出力信号に対し自機が以前に生成した乱数を含む前記判定信号を付加するので、前記信号処理装置は、前記入力信号に前記判定信号を含むか否かを判定することにより、前記入力信号が、自機が出力した信号が再度入力されたものであるか否かを判定できる。
また、前記書換部が、前記出力手段による信号の出力から所定時間経過後に、前記保持部により保持されている乱数を無効な信号に書き換えるので、前記信号処理装置は、前記入力信号が前記判定信号を含むと判定する場合を、前記所定時間内に限ることができる。
【００２３】
また、前記付加手段は、現在時刻を計測する時計部と、前記時計部から現在時刻を取得し、特定の識別信号と、前記識別信号に後続して前記現在時刻を示す時刻信号とを含む判定信号を生成する生成部と、前記出力信号に前記判定信号を付加する付加部とを含んでもよい。
この構成によれば、前記付加部が、前記出力信号に対し前記時刻信号を含む前記判定信号を付加するので、前記信号処理装置は、前記時刻信号が示す時刻と現在時刻との差が所定時間内であるか否かを判定することにより、前記判定信号が前記入力信号に直前に付加されたか否かを判定することができ、その結果、前記入力信号が、出力されてから短時間内に再度入力されたものであるかを判定できる。
【００２４】
また、前記信号処理装置は、さらに、前記判定手段により含むと判定される場合に、ユーザへの警告を示す警告信号を出力する警告手段を含んでもよい。
この構成によれば、前記信号処理装置は、前記判定手段により含むと判定された場合に、ユーザへの警告を示す警告信号を出力するので、前記誤接続について、ユーザに対し警告することができる。
【００２５】
本発明の信号処理方法は、自機が出力した信号が自機の入力回路に戻ってくる異常状態であるか判定する信号処理装置において用いられる信号処理方法であって、信号を受信する入力ステップと、入力ステップにより受信された入力信号が、自機が直前に付加した判定信号を含むか否かを判定する判定ステップと、前記判定ステップにより含むと判定される場合に、前記入力信号を所定大きさ以下に制限して出力し、又は前記入力信号の出力を禁止する制限ステップとを含む。
【００２６】
本発明のコンピュータプログラムは、自機が出力した信号が自機の入力回路に戻ってくる異常状態であるか判定する信号処理装置において用いられるコンピュータプログラムであって、信号を受信する入力ステップと、入力ステップにより受信された入力信号が、自機が直前に付加した判定信号を含むか否かを判定する判定ステップと、前記判定ステップにより含むと判定される場合に、前記入力信号を所定大きさ以下に制限して出力し、又は前記入力信号の出力を禁止する制限ステップとをコンピュータに実行させる。
【００２７】
本発明の記録媒体は、コンピュータ読み取り可能な記録媒体であって、前記コンピュータプログラムを記録している。
この構成によれば、前記信号処理装置は、入力信号が自機が直前に付加した前記判定信号を含む場合に、前記入力信号を所定大きさ以下に制限して出力し、又は前記入力信号の出力を禁止するので、自機が出力した信号が、ケーブルや他の装置を介し、短時間内に再度自機へ入力される場合であっても、信号の増幅が無限に繰り返されることを防ぐことができる。その結果、ユーザは、過大な信号による音声や映像を視聴せずにすみ、また自機、前記他の装置における半導体素子の破壊を防ぐことができる。
【発明を実施するための最良の形態】
【００２８】
以下、本発明の実施の形態を図示例と共に説明する。
＜構成＞
まず、本実施の形態における映像、音声信号に係る記録再生システムの機器構成の概略について述べる。
前記記録再生システムは、図１（ａ）に示すように、録画再生装置１００と、録画再生装置２００と、映像表示装置２５０と、リモコン１０１とから成る。
【００２９】
録画再生装置１００は、映像、音声信号の記録及び再生を行うハードディスクレコーダであり、放送局により放送される放送波を受信するためのアンテナ１０３が接続されており、図１（ｂ）に示すように、その背面部に、信号の入力端子群１００１、信号の出力端子群１００５、１００９を備える。
入力端子群１００１は、映像信号の入力端子１００２、左音声信号の入力端子１００３、右音声信号の入力端子１００４から成り、出力端子群１００５は、映像信号の出力端子１００６、左音声信号の出力端子１００７、右音声信号の出力端子１００８から成る。
【００３０】
また、出力端子群１００９は、出力端子１００６と同じ映像信号を出力する出力端子１０１０、出力端子１００７と同じ左音声信号を出力する出力端子１０１１、出力端子１００８と同じ右音声信号を出力する出力端子１０１２から成る。
録画再生装置２００は、録画再生装置１００と同機種のハードディスクレコーダであり、図１（ｂ）に示すように、その背面部に、信号の入力端子群２００１、信号の出力端子群２００５、信号の出力端子群２００９を備える。
【００３１】
入力端子群２００１は、映像信号の入力端子２００２、左音声信号の入力端子２００３、右音声信号の入力端子２００４から成り、出力端子群２００５は、映像信号の出力端子２００６、左音声信号の出力端子２００７、右音声信号の出力端子２００８から成る。
また、出力端子群２００９は、出力端子２００６と同じ映像信号を出力する出力端子２０１０、出力端子２００７と同じ左音声信号を出力する出力端子２０１１、出力端子２００８と同じ右音声信号を出力する出力端子２０１２から成る。
【００３２】
映像表示装置２５０は、外部から入力される映像信号を表示するディスプレイ、外部から入力される左音声信号、右音声信号を出力するためのスピーカを備えたテレビ受信機であり、図１（ｂ）に示すように、その背面部に、信号の入力端子群２５０１、信号の出力端子群２５０５を備える。
入力端子群２５０１は、映像信号の入力端子２５０２、左音声信号の入力端子２５０３、右音声信号の入力端子２５０４から成り、出力端子群２５０５は、映像信号の出力端子２５０６、左音声信号の出力端子２５０７、右音声信号の出力端子２５０８から成る。
【００３３】
リモコン１０１は、録画再生装置１００、録画再生装置２００、映像表示装置２５０に共通に用いられるリモコンであり、複数のキーを備え、ユーザにより押下されたキーに応じた指示を示す赤外線信号を送出する。
録画再生装置１００、録画再生装置２００、映像表示装置２５０はそれぞれが前記赤外線信号を受け付けており、赤外線信号を受信した装置は、受信した赤外線信号が示す指示に応じた動作を行う。
【００３４】
次に、ユーザにより誤って行われた各信号端子間のケーブルによる接続について、図１（ｂ）を用いて説明する。
録画再生装置１００と、録画再生装置２００との接続について、入力端子１００２は、出力端子２００６と接続され、入力端子１００３は、出力端子２００７と接続され、入力端子１００４は、出力端子２００８と接続されている。また、出力端子１００６は、入力端子２００２と接続され、出力端子１００７は、入力端子２００３と接続され、出力端子１００８は、入力端子２００４と接続されている。
【００３５】
録画再生装置２００と、映像表示装置２５０との接続について、出力端子２０１０は、入力端子２５０２と接続され、出力端子２０１１は、入力端子２５０３と接続され、出力端子２０１２は、入力端子２５０４と接続されている。
ここで、録画再生装置１００、２００のそれぞれが、外部からの信号入力を受け付け、受け付けた信号を出力する状態となっている場合には、映像信号の伝送経路に関して、録画再生装置１００の出力端子１００６から出力される信号が、録画再生装置２００の入力端子２００２へ入力され、入力された信号は録画再生装置２００内で増幅された後、出力端子２００６から出力される。出力端子２００６から出力された信号は、録画再生装置１００の入力端子１００２へ入力され、入力された信号は、録画再生装置１００内でさらに増幅された後、再び、出力端子１００５から出力される。
【００３６】
この状態が閉ループ状態であり、各装置内、ケーブル内で発生したノイズ信号が、各装置内で増幅されて、映像信号の代わりに各装置及びケーブル内を流れる。
映像信号の伝送経路が、前記閉ループ状態となった場合、映像信号の伝送経路と同様に誤った接続が成されている左音声信号、右音声信号の信号伝送経路についても、映像信号の伝送経路と同様、前記閉ループ状態となる。
【００３７】
録画再生装置１００は、上記のように各装置及びケーブルを含む映像あるいは音声信号の信号伝送経路が閉ループ状態となっている場合に、前記信号伝送経路が閉ループ状態にあることを検出し、信号出力を停止して、信号の無限増幅を防ぐことを目的としている。
次に、録画再生装置１００について説明する。
録画再生装置１００は、図２に示すように、リモコン受光部１０２、映像音声信号受信部１０４、セレクタ１０６、制御部１０７、閉ループ判定部４００、セレクタ１０８、録画再生部１０９、記録媒体１１０、アンプ１１１、入力端子１００２、１００３、１００４、出力端子１００６、１００７、１００８、１０１０、１０１１、１０１２から成る。録画再生装置１００は、具体的には、ＣＰＵ、ＲＯＭ、ＲＡＭ、ハードディスク、チューナ、ＡＶ（Ａｕｄｉｏ  Ｖｉｄｅｏ）デコーダ、ＭＰＥＧ（Ｍｏｖｉｎｇ  Ｐｉｃｔｕｒｅ  Ｅｘｐｅｒｔｓ  Ｇｒｏｕｐ）エンコーダ及びデコーダから成り、ＲＯＭには、コンピュータプログラムが記憶され、前記ＣＰＵが、前記コンピュータプログラムに従って動作することにより、その機能を実現する。
【００３８】
リモコン受光部１０２は、リモコン１０１により出力された赤外線信号を受信し、受信した赤外線信号を電気信号によるユーザ指示に変換して制御部１０７に出力する。
リモコン１０１は、ユーザが録画再生装置１００、２００、映像表示装置２５０に対し指示を行うためのキーパッドを備え、ユーザにより押下されたキーに応じた指示を示す赤外線信号を出力し、また、前記キーパッドは、電源のオンオフ切替指示、視聴を希望するチャンネルの選択を指示するチャネル選択指示、映像信号等の録画を指示する録画指示、記録媒体１１０に記録されたデータの再生指示、再生する映像音声信号を他の装置から出力される外部入力信号から得るよう装置内の信号経路を切り替える外部入力切替指示などそれぞれの指示に対応するキーを含む。
【００３９】
映像音声信号受信手段１０４は、具体的には、アンテナ１０３が接続されたチューナー、ＡＶデコーダから成り、制御部１０７から「２ＣＨ選択指示」、「４ＣＨ選択指示」など特定のチャンネルの選択指示を受け付け、受け付けた指示に従って、前記チューナーがアンテナ１０３を介してＡＭ（Ａｍｐｌｉｔｕｄｅ  Ｍｏｄｕｌａｔｉｏｎ）及びＦＭ（Ｆｒｅｑｕｅｎｃｙ  Ｍｏｄｕｌａｔｉｏｎ）方式で放送される放送波を受信し、受信した放送波をＡＶデコーダが復調、信号処理することにより映像信号、左音声信号、右音声信号を取得する。
【００４０】
映像音声信号受信部１０４は、取得した前記映像信号、前記左音声信号、前記右音声信号の３信号を出力する出力端子群を備える。
セレクタ１０６は、制御部１０７からの指示に従い、１入力が３信号からなる、２入力のうちの１を選択するセレクタである。
セレクタ１０６は、映像信号用のセレクタ１０６ａ、左音声信号用のセレクタ１０６ｂ、右音声信号用のセレクタ１０６ｃを含んでおり、セレクタ１０６ａ、１０６ｂ、１０６ｃのそれぞれが２つの入力端子と１つの出力端子とを備える。
【００４１】
セレクタ１０６ａは、一方の入力端子が映像音声信号受信部１０４の映像信号出力端子と接続され、他方の入力端子が外部信号の入力端子１００２と接続され、出力端子が閉ループ判定部４００と接続されている。
セレクタ１０６ｂは、一方の入力端子が映像音声信号受信部１０４の左音声信号出力端子と接続され、他方の入力端子が外部信号の入力端子１００３と接続され、出力端子はセレクタ１０８に含まれるセレクタ１０８ｂと接続されている。
【００４２】
セレクタ１０６ｃは、一方の入力端子が映像音声信号受信部１０４の右音声信号出力端子と接続され、他方の入力端子が外部信号の入力端子１００４と接続され、出力端子はセレクタ１０８に含まれるセレクタ１０８ｃと接続されている。
セレクタ１０６が制御部１０７から外部入力選択指示を受信した場合、セレクタ１０６ａは、入力として入力端子１００２を選択し、セレクタ１０６ｂは、入力として入力端子１００３を選択し、セレクタ１０６ｃは、入力として入力端子１００４を選択する状態である外部入力選択状態となる。
【００４３】
セレクタ１０６が制御部１０７からチューナ選択指示を受信した場合、セレクタ１０６ａ、１０６ｂ、１０６ｃのそれぞれが入力として、映像音声信号受信部１０４を選択する、チューナ選択状態となる。
セレクタ１０６が制御部１０７から無選択指示を受信した場合、セレクタ１０６ａ、１０６ｂ、１０６ｃのそれぞれは、いずれの入力も選択しない無選択状態となる。
【００４４】
セレクタ１０８は、制御部１０７からの指示に従い、１出力が３信号からなる２出力のうちの１を選択するセレクタである。
セレクタ１０８は、映像信号用のセレクタ１０８ａ、左音声信号用のセレクタ１０８ｂ、右音声信号用のセレクタ１０８ｃを含んでおり、セレクタ１０８ａ、１０８ｂ、１０８ｃのそれぞれが１つの入力端子と２つの出力端子とを備える。
【００４５】
セレクタ１０８ａは、一方の出力端子が録画再生部１０９の映像信号入力端子と接続され、他方の出力端子がアンプ１１１の映像信号入力端子と接続され、入力端子は閉ループ判定部４００と接続されている。
セレクタ１０８ｂは、一方の出力端子が録画再生部１０９の左音声信号入力端子と接続され、他方の出力端子がアンプ１１１の左音声信号入力端子と接続され、セレクタ１０６ｂの出力端子と接続されている。
【００４６】
セレクタ１０８ｃは、一方の出力端子が録画再生部１０９の右音声信号入力端子と接続され、他方の出力端子がアンプ１１１の右音声信号入力端子と接続され、セレクタ１０６ｃの出力端子と接続されている。
セレクタ１０８が制御部１０７からアンプ選択指示を受信した場合、セレクタ１０８ａ、１０８ｂ、１０８ｃのそれぞれは、出力としてアンプ１１１を選択するアンプ選択状態となる。
【００４７】
セレクタ１０８が制御部１０７から録画再生部選択指示を受信した場合、セレクタ１０８ａ、１０８ｂ、１０８ｃのそれぞれは、出力として録画再生部１０９を選択する録画再生部選択状態となる。
セレクタ１０８が制御部１０７から無選択指示を受信した場合、セレクタ１０８ａ、１０８ｂ、１０８ｃのそれぞれは、いずれの出力も選択しない無選択状態となる。
【００４８】
録画再生部１０９は、具体的には、アンプ、ＡＶデコーダ、ＭＰＥＧエンコーダ、ＭＰＥＧデコーダから成り、制御部１０７からの指示に従い、映像、左音声、右音声信号の増幅、再生、記録媒体１１０への映像、左右の音声信号の記録、記録媒体１１０に記録されたデータの再生を行う。
録画生成部１０９の映像信号の入力端子は、セレクタ１０８ａに接続され、映像信号の出力端子は、出力端子１００６、１０１０に接続されている。
【００４９】
録画生成部１０９の左音声信号の入力端子は、セレクタ１０８ｂに接続され、左音声信号の出力端子は、出力端子１００７、１０１１に接続され、右音声信号の入力端子は、セレクタ１０８ｃに接続され、右音声信号の出力端子は、出力端子１００８、１０１２に接続されている。
録画再生部１０９は、制御部１０７により、録画を指示された場合には、入力される映像、左、右音声信号を、ＭＰＥＧエンコーダにより、エンコードした後、記録媒体１１０に記録し、また、記録媒体１１０に記録されたデータの再生指示を受けた場合には、記録媒体１１０に記録されたデータを、ＭＰＥＧデコーダによりデコードし、ＭＰＥＧデコーダによるデコード結果を、さらにＡＶデコーダにより映像、左音声、右音声信号へデコードし、映像信号を出力端子１００６、１０１０に出力し、左音声信号を、出力端子１００７、１０１１に出力し、右音声信号を出力端子１００８、１０１２に出力する。
【００５０】
記録媒体１１０は、具体的には、ハードディスクであり、録画再生部１０９が、映像、左、右音声信号を記録するために用いられる。
アンプ１１１は、入力される信号を増幅して出力する増幅回路である。
アンプ１１１の映像信号の入力端子は、セレクタ１０８ａに接続され、映像信号の出力端子は、出力端子１００６、１０１０に接続されている。
【００５１】
アンプ１１１の左音声信号の入力端子は、セレクタ１０８ｂに接続され、左音声信号の出力端子は、出力端子１００７、１０１１に接続され、右音声信号の入力端子は、セレクタ１０８ｃに接続され、右音声信号の出力端子は、出力端子１００８、１０１２に接続されている。
出力端子１００６、１０１０は、映像信号を出力する端子であり、録画再生部１０９、アンプ１１１の映像信号の出力端子と接続されており、出力端子１００７、１０１１は、左音声信号を出力する端子であり、録画再生部１０９、アンプ１１１の左音声信号の出力端子と接続されており、出力端子１００８、１０１２は、右音声信号を出力する端子であり、録画再生部１０９、アンプ１１１の右音声信号の出力端子と接続されている。
【００５２】
制御部１０７は、ＣＰＵ、ＲＯＭ、ＲＡＭ、コンピュータプログラムから成り、録画再生装置１００の全体動作を制御する。
制御部１０７は、リモコン受光部１０２から受信するユーザ指示に従い動作する。
制御部１０７は、リモコン受光部１０２から、ユーザ指示として、外部入力切替指示を受信した場合、セレクタ１０６に対し、外部入力選択指示を送信し、またセレクタ１０８に対し、前記アンプ選択指示を送信する。
【００５３】
また、制御部１０７は、リモコン受光部１０２から、ユーザ指示として、録画指示を受信した場合には、セレクタ１０８に対し、前記録画再生部選択指示を送信し、録画再生部１０９に録画指示を送信する。
また、制御部１０７は、リモコン受光部１０２から、「２チャンネル（以下、ＣＨという。）選択指示」、「４ＣＨ選択指示」など特定チャンネルの選択指示を受けた場合には、映像音声信号受信部１０４に対し指示された特定チャンネルの選択指示を行い、セレクタ１０６に対し、前記チューナ選択指示を送信する。
【００５４】
また、制御部１０７は、リモコン受光部１０２から記録媒体１１０に記録されているデータの再生指示を受信した場合には、録画再生部１０９に対し、記録媒体１１０に記録されている映像、音声信号に関するデータを復号、再生し、出力するよう指示する。
制御部１０７は、リモコン受光部１０２から前記外部入力切替指示、或いは、電源オン指示を受信した場合に、閉ループ判定部４００に対し、信号経路が閉ループ状態であるか否かの判定動作の開始を示す判定開始指示を送信し、外部入力以外の信号の再生指示である前記特定チャンネル選択指示、前記録画指示、前記データの再生指示、及び電源オフ指示を受信した場合には、閉ループ判定部４００に対し、信号経路が閉ループ状態であるか否かの判定動作の終了を示す判定終了指示を送信する。
【００５５】
制御部１０７は、閉ループ判定部４００から信号経路の接続を示す経路接続指示を受信した場合には、セレクタ１０８に対しアンプ選択指示を送信し、経路切断指示を受信した場合には、セレクタ１０８に対し無選択指示を送信する。
次に、閉ループ判定部４００について、説明する。
閉ループ判定部４００は、図３に示すように、ＡＤ（Ａｎａｌｏｇ  ｔｏ  Ｄｉｇｉｔａｌ）コンバータ（以下、ＡＤＣという。）４０１と、抽出部４０２、制御部４０３、時計部４０４、識別情報保持部４０５、判定情報生成部４０６、判定部４０７、付加部４０８、ＤＡ（Ｄｉｇｉｔａｌ  ｔｏ  Ａｎａｌｏｇ）コンバータ（以下、ＤＡＣという）４１０とから成り、具体的には、ＣＰＵ、ＲＯＭ、ＲＡＭ、時計、セレクタ、ＡＤＣ、ＤＡＣから成るコンピュータシステムであり、前記ＲＯＭには、コンピュータプログラムが記憶され、前記ＣＰＵが、前記コンピュータプログラムに従って動作することにより、その機能を実現する。
【００５６】
時計部４０４は、現在時刻を１秒単位で計測する時計であり、読み出し可能な１７ビットデータ長の時刻読出レジスタを備え、計測した時刻を時刻読出レジスタに設定する。
時計部４０４が、計測結果として時刻読出レジスタに設定する値は、「０時０分０秒」を表す値「０」から「２３時５９分５９秒」を表す「８６３９９」までの値である。
識別情報保持部４０５は、具体的にはＲＯＭであり、７ビット長のシリアルナンバーが記録再生装置に固有の自機データとして、録画再生装置１００の製造時にＲＯＭに書き込まれている。録画再生装置１００のシリアルナンバーは、値「１」であり、録画再生装置２００のシリアルナンバーは、値「２」であるとする。
【００５７】
ＡＤＣ４０１は、アナログ信号をデジタルデータに変換するＡＤコンバータである。
ＡＤＣ４０１において、アナログ信号の入力を受け付ける入力端子は、セレクタ１０６ａの出力端子に接続されており、ＡＤ変換後のデジタルデータを出力する出力端子は抽出部４０２と付加部４０８に接続されている。
ＡＤＣ４０１は、入力されるアナログ信号を、所定時間間隔毎に、２４ビットの量子化ビット数でデジタルデータに変換し、抽出部４０２、付加部４０８へ出力する。
【００５８】
判定情報生成部４０６は、付加部４０８から情報生成指示を受信し、前記情報生成指示を受信した場合に、識別情報保持部４０５から読み出した７ビット長の自機データと、時計部４０４の時刻読出レジスタを読み出すことにより取得した１７ビット長の現在時刻とを連結して、２４ビット長の判定情報を生成し、生成した判定情報を、付加部４０８へと送信する。
【００５９】
ここで、ＡＤＣ４０１は、入力信号がノイズ信号である場合のＡＤ変換後のデータが、２４ビット長のＡＤ変換後データのうち、下位８ビットに収まり、その他の上位１６ビットは、常に「０」となるよう設定されているものとする。
ＡＤＣ４０１によるＡＤ変換後の２４ビットのデータにおいて、上位１６ビットの中に値「１」が現れる場合は、ＡＤ変換前の入力信号はノイズ信号ではなく、映像信号、同期信号、制御に用いる信号のいずれかである。
【００６０】
抽出部４０２は、制御部４０３から抽出開始指示、及び抽出終了指示を受け付け、前記抽出開始指示を受信した場合に、抽出データの抽出処理を開始し、前記抽出終了指示を受信した場合に、抽出データの抽出処理を終了する。
抽出部４０２は、抽出データの抽出は、以下のように行う。
抽出部４０２は、ＡＤＣ４０１から入力されるデジタルデータが、特定パターンである開始データと一致するか否か判定する。前記特定パターンは、１６進数で「ＦＦＦＦＦＦ」である。
【００６１】
抽出部４０２は、入力されたデジタルデータが前記開始データと一致した場合には、ＡＤＣ４０１から、前記開始データと一致するデータに後続して入力されるデジタルデータを抽出データとして取得する。
抽出データの上位７ビットは、装置を識別する抽出装置データであり、抽出データの下位１７ビットのデータは抽出時刻データであると予め規定されているものとする。
【００６２】
抽出部４０２における抽出データの抽出について、ＡＤＣ４０１から抽出部４０２に対して、２４ビットのデータが、図４に示すようにＤ２０１、Ｄ２０２、Ｄ２０３、Ｄ２０３・・・Ｄ２０Ｎの順に入力される場合を例に説明する。
抽出部４０２は、１６ビットのデータが入力される毎に、入力されたデータが、前記開始データと一致するか否かを判定する。
【００６３】
抽出部４０２は、Ｄ２０１が入力された場合、Ｄ２０１は前記開始データである２進数「１１１１１１１１１１１１１１１１１１１１１１１１」と一致しないので、次のデータが入力されるのを待つ。
抽出部４０２は、Ｄ２０２が入力された場合、Ｄ２０２が、前記開始データと一致するか否かを判定するが、Ｄ２０２は前記開始データと一致するので、抽出部４０２は、前記開始データに後続して入力されるデータであるＤ２０３が入力されるのを待つ。
【００６４】
抽出部４０２は、前記開始データに後続するＤ２０３が入力された場合、Ｄ２０３を抽出データとして、判定部４０７に対し出力する。
この場合、抽出データであるＤ２０３は、「００００００１０００００１０１０１１０００１１０」であり、Ｄ２０３の上位７ビットであるＤ２３１「００００００１」が前記抽出装置データであり、Ｄ２０３の下位１７ビットであるＤ２３２と「０００００１０１０１１０００１１０」が抽出時刻データである。
【００６５】
判定部４０７は、抽出部４０２から前記抽出データを取得し、また、識別情報保持部４０５から前記自機データを取得し、時計部４０４の時刻読出レジスタを読み出すことにより現在時刻を取得して、取得したこれらのデータを用いて、信号経路が閉ループであるか否かを判定する。
判定部４０７は、前記抽出データの上位７ビットである抽出装置データと、前記自機データとを比較し、両データが一致しなかった場合、信号経路が閉ループではない「非ループ」であると判定する。
【００６６】
前記抽出装置データと、前記自機データとが一致した場合、前記抽出データの下位１７ビットである抽出時刻データが示す時刻と、取得した現在時刻との差分を演算し、前記差分が所定値（例えば、「１」）以内であれば、信号経路が「閉ループ」であると判定し、差分が所定値よりも大きい場合には、「非ループ」であると判定する。
判定部４０７は、前記判定の結果を通知するために、「閉ループ」「非ループ」のいずれかの判定結果を示す閉ループ通知情報を、制御部４０３に送信する。
【００６７】
付加部４０８は、ＡＤＣ４０１から取得するデジタルデータをＤＡＣ４１０へと出力する。
但し、判定情報生成部４０６から前記判定情報を受信した場合には、ＡＤＣ４０１から次のデジタルデータを取得する前に、前記判定情報をＤＡＣ４１０へと出力する。
ＤＡＣ４１０は、付加部４０８から出力されるデジタルデータを、アナログ信号に変換し出力する。
【００６８】
制御部４０３は、閉ループ判定部４００の全体動作を制御する。
制御部４０３は、制御部１０７から前記判定開始指示、前記判定終了指示を受信し、前記判定開始指示を受信した場合、時計部４０４から現在時刻を読み出して閉ループ判定開始時刻として保持し、抽出部４０２に対し前記抽出開始指示を送信し、前記判定終了指示を受信した場合、抽出部４０２に対し前記判定終了指示を送信する。
【００６９】
制御部４０３は、前記抽出開始指示を送信した後に、判定部４０７から閉ループ判定の結果として前記閉ループ通知情報を受信するか、抽出部４０２から、前記不一致通知を受信する。
制御部４０３は、前記不一致通知を受信するごとに、時計部４０４から現在時刻を読み出し、前記現在時刻が、前記閉ループ判定開始時刻から２秒経過しているか否かを判定する。
【００７０】
前記閉ループ判定開始時刻から２秒以上経過している場合、制御部４０３は、信号経路が閉ループ状態となっていない「非ループ」であると判定し、付加部４０８に前記判定情報を付加するよう指示する。
また、判定部４０７から閉ループ通知情報を受信し、前記閉ループ通知情報が閉ループでない「非ループ」を示し、前記閉ループ判定開始時刻から２秒以上経過している場合にも、制御部４０３は、付加部４０８に前記判定情報を付加するよう指示する。
【００７１】
制御部４０３は、受信した閉ループ通知情報が、「閉ループ」を示す場合、閉ループを解消するために、制御部１０７に対し、信号経路の経路切断要求を出力する。
制御部４０３は、「非ループ」と判定した場合、又は、「非ループ」を示す閉ループ通知情報を受信した場合、時計部４０４の時刻読出レジスタから現在時刻を読み出し、読み出した現在時刻で、保持している判定開始時刻を更新する。
＜動作＞
録画再生装置１００及び録画再生装置２００における映像信号の入力端子、出力端子が、前述したようにユーザにより誤って接続されている状態において、録画再生装置１００が行う閉ループ判定処理について図５を用いて説明する。
【００７２】
ここで、閉ループ判定処理は、録画再生装置１００のみで行うものとし、録画再生装置２００は、閉ループ判定処理を行わず、入力端子２００２からノイズ信号が入力された場合、内部に備えるアンプで当該ノイズ信号を増幅し、当該増幅されたノイズ信号を、出力端子２００６から録画再生装置１００に対し出力するのみであるとする。
録画再生装置１００における制御部１０７は、リモコン受光部１０２から前記外部入力切替指示、或いは、電源オン指示を受信した場合に前記判定開始指示を制御部４０３に対し送信する。
【００７３】
制御部４０３は、前記判定開始指示を受信した場合に、抽出部４０２に抽出開始指示を送信するとともに、閉ループ処理開始時刻として、時計部４０４の時刻設定レジスタから現在時刻を読み出し、判定開始時刻として保持する（ステップＳ１０１）。
抽出部４０２は、ＡＤＣ４０１によるＡＤ変換結果である２４ビットのデジタルデータを、ＡＤＣ４０１から取得する（ステップＳ１０２）。
【００７４】
ここで、ＡＤＣ４０１は、常時、所定時間間隔でＡＤ変換を行い、変換結果を抽出部４０２へと出力するが、１度のＡＤ変換に要する時間は、ステップＳ１０２でデータ入力がされてから、図５の各ステップが実行されて、次にＡＤＣ４０１からのデータ入力待ちになるまでの時間よりも、十分長いものとする。
抽出部４０２は、ＡＤＣ４０１が出力した２４ビットの前記データを受け付ける。
【００７５】
抽出部４０２は、前回受信したデータが前記開始データでなかった場合（ステップＳ１０３：Ｎｏ）、受信したデータが開始データか否かを判定する（ステップＳ１０４）。
開始データであった場合（ステップＳ１０４：Ｙｅｓ）、次のデータ入力を待つ。
開始データでなかった場合（ステップＳ１０４：Ｎｏ）、抽出部４０２は、制御部４０３に対し不一致通知を送信する。
【００７６】
制御部４０３は、前記不一致通知を受信し、時計部４０４の時刻設定レジスタから現在時刻を読み出して、保持している判定開始時刻から２秒間が経過しているか否かを判定する（ステップＳ１０５）。
経過していないと判定した場合（ステップＳ１０５：Ｎｏ）、次のデータ入力を待つ。
経過していると判定した場合（ステップＳ１０５：Ｙｅｓ）、制御部４０３は、付加部４０８に前記判定情報を付加するよう指示する（ステップＳ１０６）。
【００７７】
付加部４０８は、判定情報生成部４０６に対し判定情報の生成を指示する。
判定情報生成部４０６は、識別情報保持部４０５から前記自機データを読み出し、時計部４０４の時刻読出レジスタを読み出すことにより現在時刻を取得し、読み出した前記自機データと、取得した前記現在時刻を連結することにより判定情報を生成し、生成した判定情報を付加部４０８へと送信する。
【００７８】
付加部４０８は、以降にＡＤＣ４０１から取得するデジタルデータに先立ち、前記開始データ、前記判定情報の順に２つの２４ビットデータを、ＤＡＣ４１０へと出力する。
ＤＡＣ４１０は、付加部４０８から受信するデータを、ＤＡ変換し、当該変換後のアナログ信号をセレクタ１０８ａに対し、出力する。
制御部４０３は、時計部４０４から現在時刻を読み出し、当該読み出した現在時刻で、前記判定開始時刻を書き換える（ステップＳ１０７）。
【００７９】
Ｓ１０３において、抽出部４０２は、前回受信したデータが前記開始データであった場合（ステップＳ１０３：Ｙｅｓ）、ＡＤＣ４０１から取得したデータを抽出データとして判定部４０７へと出力する。
判定部４０７は、前記抽出データを受信し、識別情報保持部４０５から前記自機データを読み出し、抽出データの上位７ビットである抽出装置データと、前記自機データが一致するか否かを判定する（ステップＳ１０８）。
【００８０】
一致しなかった場合（ステップＳ１０８：Ｎｏ）、ステップＳ１０５へと進む。
一致した場合（ステップＳ１０８：Ｙｅｓ）、判定部４０７は、時計部４０４から現在時刻を読み出し、当該現在時刻と、抽出データの下位１７ビットである抽出時刻データが示す時刻との差が１秒以内であるか否かを判定する（ステップＳ１０９）。
ここで１秒としたのは、記録再生装置１００から出力される出力信号が、閉ループである信号経路を経由して再度記録再生装置１００に入力されるのに十分な時間だと考えられるためである。
【００８１】
ステップＳ１０９において、１秒以内であると判定された場合（ステップＳ１０９：Ｙｅｓ）、判定部４０７は、「閉ループ」を示す閉ループ状態情報を制御部４０３に出力し、１秒以内でないと判定された場合（ステップＳ１０９：Ｎｏ）、判定部４０７は、「非ループ」を示す閉ループ状態情報を制御部４０３に出力する。
制御部４０３は、閉ループ状態情報を判定部４０７から受信し、受信した閉ループ状態情報が「閉ループ」を示していた場合に制御部１０７に対し、経路切断要求を送信するよう指示する（ステップ１１０）。
【００８２】
制御部１０７は、前記信号切断要求を受信し、セレクタ１０８に対し、前記無選択指示を送信する。
セレクタ１０８は、前記無選択指示を受信し、前記無選択状態となり、処理を終了する。
以上のように、以後、閉ループ判定部４００は、ステップＳ１１０において信号経路が切断されるまで、ステップＳ１０２からステップＳ１０９で示される動作を繰り返すが、制御部１０７が、リモコン受光部１０２から前記特定チャンネル選択指示、前記録画指示、前記データの再生指示、及び電源オフ指示を受信した場合には、制御部１０７が前記判定終了指示を制御部４０３へと送信し、制御部４０３が前記判定終了指示を受信して、抽出部４０２に対し前記抽出終了指示を送信し、閉ループ判定部４００は、ステップＳ１０２からステップＳ１０９で示される処理を中止する。
＜その他変形例＞
なお、本発明を上記の実施の形態に基づいて説明してきたが、本発明は、上記の実施の形態に限定されるものではなく、本発明の要旨を逸脱しない範囲内において種々変更を加え得ることは勿論である。
以下のような場合も本発明に含まれる。
（１）録画再生装置１００及び２００を、ハードディスクレコーダとして説明してきたが、映像信号、音声信号の録画や再生が可能な録画再生装置であればよく、例えば、ビデオテープレコーダ、ＤＶＤ（Ｄｉｇｉｔａｌ  Ｖｅｒｓａｔｉｌｅ  Ｄｉｓｃ）レコーダなどでもよい。
【００８３】
また、説明を簡潔にするため、録画再生装置１００及び２００は、同一の機種で内部構成が同じとしていたが、これに限らず、例えば、録画再生装置２００は、外部信号の入力、出力が可能で、閉ループ判定の機能を持たない他の機種であってもよい。
（２）映像音声信号受信手段１０４は、ＡＭ、ＦＭ放送波を受信するものとしていたが、これに限らず、例えば、デジタル衛星放送波を受信し、受信した放送波から映像、音声信号を取得するための、チューナー、誤り訂正回路、トランスポートデコーダ、映像音声復号回路を含んでいてもよい。
（３）記録媒体１１０は、ハードディスクとしていたが、録画再生部１０９が使用する記録、再生フォーマットに従い、映像、音声信号の記録、再生ができるものであれば他の媒体、例えば、ＣＤ、ＤＶＤディスク、ビデオテープであってもよい。
（４）ＡＤＣ４０１におけるＡＤ変換の量子化ビット数は２４ビットとしているが、システム、装置等の設計に応じ、８ビット長、１６ビット長等その他のビット長に変更してもよい。
（５）閉ループ判定部４００により、信号経路が「閉ループ」と判定された場合、セレクタ１０８を無選択状態にすることにより、信号経路を切断し、閉ループ内で、ノイズ信号が無限増幅するのを防ぐこととしていたが、これ以外の方法で、当該無限増幅を回避してもよい。
【００８４】
例えば、アンプ１１１を増幅率が可変であるアンプとし、制御部１０７とアンプ１１１とを、増幅率制御のための信号線で結線することとしてもよい。
判定部４０７が「閉ループ」であると判定し、制御部４０３が閉ループ切断要求を制御部１０７へと通知した場合に、制御部１０７がアンプ１１１に対し、前記信号線を介して、増幅率を下げる、或いは、増幅率を０とする指示を送信し、アンプ１１１が自身の増幅率を制御部１０７からの指示に従い、低下させる或いは増幅率を０とする。
【００８５】
これによれば、信号経路が閉ループであると判定された場合に、出力する信号の大きさを所定の大きさ以下に制限することができる。
また、図６に示すように、アンプ１１１を、増幅率が可変のアンプ１５１に交換し、その後段に、さらに、ＯＳＤ生成部１５２を挿入してもよい。制御部１０７は、判定部４０７が「閉ループ」であると判定し、制御部４０３が閉ループ切断要求を制御部１０７に対し通知した場合に、制御部１０７は、アンプ１５１に対し、増幅率を下げる指示を行い、ＯＳＤ生成部１５２に対し、閉ループを解消するようユーザへ警告するための警告ＯＳＤを表示するよう指示する。ＯＳＤ生成部１５２は、制御部１０７からの指示に従い、アンプ１５１から出力される信号に対し、「閉ループ発生」などの文言を表示領域の一部にＯＳＤ表示させるための信号を、付加、或いは重畳して出力する。
【００８６】
これにより、ユーザは、「閉ループ発生」などの文言がＯＳＤ表示された映像を視聴することができるので、閉ループ状態になるよう接続されている装置間の接続を見直すことができる。
（６）時計部４０４は、現在時刻を１秒単位で計測する時計としたが、さらに高精度の時計や、低精度の時計、１ミリ秒など所定時間毎にカウントアップするカウンタなどであってもよい。また、前記自機データは、７ビット長のシリアルナンバーとしているが、装置の設計、装置の製造台数等に応じて、ビット長を変更してもよい。前記判定情報は、２４ビットのデータとしていたが、これに限らず、８ビット、１６ビットなど、システムの仕様に合わせて変更してもよい。
【００８７】
また、前記開始データは、１６進数で「ＦＦＦＦＦＦ」としたが、ノイズ信号がＡＤＣ４０１によるＡＤ変換後のデータと、区別できるデータであれば、その他のデータであってもよい。
例えば、抽出部４０２は、最上位ビットが「１」であるデータが入力された場合に、開始データが入力されたと判断することとしてもよい。
（７）判定情報生成部４０６は、前記判定情報を、前記自機データと、現在時刻を示す時刻情報とから生成していたが、前記判定情報は、他の情報であってもよいし、他の情報を含めてもよい。
【００８８】
例えば、閉ループ判定部４００は、さらに乱数生成部を備え、乱数生成部は、乱数を生成して保持する。
判定情報生成部４０６は、前記判定情報を生成する場合に、前記乱数を前記乱数生成部から読み出し、時計部４０４から現在時刻を読み出し、前記乱数と、前記現在時刻とを連結して判定情報を生成し、前記判定情報を付加部４０８へと送信する。
【００８９】
付加部４０８は、出力すべき信号に、前記判定情報を付加して出力する。
抽出部４０２は、入力されたデジタルデータから、前記開始データを検出し、検出した開始データに後続するデータを抽出する。
抽出されたデータには、前記乱数と、前記抽出時刻情報が含まれる。
判定部４０７は、前記自機データと、前記抽出装置データとを比較する代わりに、抽出した乱数と、乱数生成部が保持する乱数とを比較する。
【００９０】
比較した結果、一致しない場合には、「非ループ」と判定する。
また、判定情報生成部４０６は、前記判定情報を生成した時に時計部４０４が示す現在時刻を記録し、前記判定情報を生成してから所定時間経過した場合に、乱数生成部により保持されている乱数を例えば、値「０」のような無効と定めたデータに書き換えてもよい。この場合、前記乱数生成部は、時計部４０４を監視し、無効なデータが書き込まれてから所定時間、例えば２秒経過した後に再度、乱数を生成し保持するものとする。
【００９１】
判定部４０７は、前記乱数生成部が保持されていた乱数が値「０」に書き換えられている場合には、「非ループ」と判定することとなる。これにより、前記乱数生成部が生成する乱数に有効期限（上述の例であれば２秒間）を設けることができる。
（８）閉ループ判定部４００は、付加部４０８の後段に、復元部を備えていてもよい。
前記復元部は、付加部４０８が出力するデータを受け付け、受信したデータが、前記開始データであるか否かを判定する。
【００９２】
前記開始データであった場合には、前記開始データと、前記開始データに後続する、２つのデジタルデータは、ＤＡＣ４１０に対し送信しないものとする。
前記復元部は、前記開始データとそれに後続する２つのデジタルデータ以外は、そのままＤＡＣ４１０へと送信する。
前記復元部は、判定部４０７により「非ループ」と判定されている場合のみ動作するものとする。
（９）抽出部４０２により、自機データと、抽出装置データとが一致しないと判定された場合、即ち他装置により前記判定情報が付加されたと判定された場合、付加部４０８は、前記判定情報を付加しないこととしてもよい。これにより、閉ループ判定処理を他装置に任せることができる。
（１０）付加部４０８は、入力されるデジタルデータが、前記開始データと同じか否かを判定し、同じであった場合に、当該開始データと同一のデータをＤＡＣ４１０に送信しないこととしてもよいし、値が「０」等の予め無効と定めたデータに置き換えてＤＡＣ４１０に出力してもよい。これにより、前記開始データと同一のデータの出力を、付加部４０８がＤＡＣ４１０に送信するもののみに制限することができる。
（１１）付加部４０８は、判定情報生成部４０６から判定情報を受信した場合に、ＡＤＣ４０１から次のデータを受信する前に、前記開始データ、前記判定情報を、ＤＡＣ４１０に送信しているが、ＡＤＣ４０１からの受信データに付加データを上書きしてもよい。すなわちＡＤＣ４０１から次のデータを受信した場合に当該受信したデータを破棄して前記開始データをＤＡＣ４１０に送信し、その次のデータを受信した場合に受信したデータを破棄して前記判定情報をＤＡＣ４１０に送信することとしてもよい。また、付加部４０８は、前記開始データと、前記判定情報とを、連続した順番で送る必要はなく、前記開始データを送信した後、所定回数、ＡＤＣ４０１から受信するデータをそのまま、ＤＡＣ４１０へと送信し、次いで、ＡＤＣ４０１から受信するデータを破棄して、前記判定情報をＤＡＣ４１０に送信することとしてもよい。
【００９３】
また、前記判定情報を、ＡＤＣ４０１から受信するデジタルデータに埋め込んで出力することとしてもよい。
例えば、２４ビットの判定情報を４ビットずつ１２個に分割し、ＡＤＣ４０１から順次受信する１２個のデジタルデータの上位４ビットと置き換えてもよい。
（１２）判定情報は、２４ビット固定長としたが、可変長であってもよい。
【００９４】
この場合、付加部４０８は、前記判定情報の情報長を示す情報長データを生成し、前記開始データをＤＡＣ４１０に対し出力した後に前記情報長データをＤＡＣ４１０に対し出力する。
抽出部４０２は、入力されるデータから前記開始データを発見した場合に、次に入力される情報長データが示す情報長のデータが、ＡＤＣ４０１から入力されるまで待つ。
【００９５】
抽出部４０２は、前記情報長データが示す長さのデータを抽出することにより、前記判定情報を取得する。
（１３）前記開始データは、付加部４０８が前記判定情報に先行して、ＤＡＣ４１０に送信することしていたが、付加部４０８は、他装置により付加された前記開始データを常時検出し、前記開始データを発見した場合に、前記開始データをＤＡＣ４１０に送信したのち、自装置が付加する前記判定データをＤＡＣ４１０に送信することとしてもよい。
【００９６】
これは、録画再生装置２００が擬似同期信号付加機能を持っており、録画再生装置１００に入力されるノイズ信号に、録画再生装置２００により、ＡＤ変換結果が前記開始データとなる、擬似的な同期信号が付加されている場合に有効である。
（１４）閉ループ判定部４００は、映像信号に係る信号経路を流れるノイズ信号を用いて、閉ループ判定を行ったが、それ以外の左音声信号、右音声信号に係る信号経路を流れるノイズ信号を用いて、閉ループ判定を行うこととしてもよい。
（１５）本実施形態では、閉ループ判定部４００、制御部４０３、制御部１０７のそれぞれが、ＣＰＵ、ＲＯＭ、ＲＡＭ等から成る旨を述べたが、閉ループ判定部４００、制御部４０３、制御部１０７において、１以上のＣＰＵ、ＲＯＭ、ＲＡＭ等の一部、或いは全部を共用することとしてもよい。
（１６）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００９７】
また、本発明は、前記コンピュータプログラム又は前記デジタル信号をコンピュータ読み取り可能な記録媒体、例えば、フレキシブルディスク、ハードディスク、ＣＤ−ＲＯＭ（Ｃｏｍｐａｃｔ Ｄｉｓｃ  Ｒｅａｄ  Ｏｎｌｙ  Ｍｅｍｏｒｙ）、ＭＯ（Ｍａｇｎｅｔｏ  Ｏｐｔｉｃ ｄｉｓｃ）、ＤＶＤ（Ｄｉｇｉｔａｌ Ｖｅｒｓａｔｉｌｅ Ｄｉｓｃ）、ＤＶＤ−ＲＯＭ（Ｄｉｇｉｔａｌ Ｖｅｒｓａｔｉｌｅ Ｄｉｓｃ  Ｒｅａｄ  Ｏｎｌｙ  Ｍｅｍｏｒｙ）、ＤＶＤ−ＲＡＭ（Ｄｉｇｉｔａｌ Ｖｅｒｓａｔｉｌｅ Ｄｉｓｃ  Ｒａｎｄｏｍ Ａｃｃｅｓｓ Ｍｅｍｏｒｙ）、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００９８】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００９９】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（１７）上記実施の形態及び上記変形例をそれぞれ組み合わせるとしてもよい。
【産業上の利用可能性】
【０１００】
本発明の信号処理装置は、映像、音声信号の記録や再生を行うハードディスクレコーダやＶＴＲなどのＡＶ機器に内蔵され、又は他のＡＶ機器などと共にＡＶシステムを構成するのに用いられ、また、ＡＶ機器の製造業者、半導体の製造業者等により、生産され、販売等が成される。
【図面の簡単な説明】
【０１０１】
【図１】本実施形態のシステム構成、装置間の接続を示す概略図である。
【図２】録画再生装置の内部構成を示すブロック図である。
【図３】閉ループ判定部の内部構成を示すブロック図である。
【図４】前記開始データ及び判定情報を含むデジタルデータ列の一例を示す図である。
【図５】閉ループ判定処理を示すフローチャートである。
【図６】ＯＳＤ生成部を含む録画再生装置の内部構成を示すブロック図である。
【符号の説明】
【０１０２】
１００    録画再生装置
１０１    リモコン
１０２    リモコン受光部
１０３    アンテナ
１０４    映像音声信号受信部
１０６    セレクタ
１０７    制御部
１０８    セレクタ
１０９    録画再生部
１１０    記録媒体
１１１    アンプ
１５１    アンプ
１５２    ＯＳＤ生成部
２００    録画再生装置
２５０    映像表示装置
４００    閉ループ判定部
４０１    ＡＤＣ
４０２    抽出部
４０３    制御部
４０４    時計部
４０５    識別情報保持部
４０６    判定情報生成部
４０７    判定部
４０８    付加部
４１０    ＤＡＣ
１００１    入力端子群
１００２    入力端子
１００３    入力端子
１００４    入力端子
１００５    出力端子群
１００６    出力端子
１００７    出力端子
１００８    出力端子
１００９    出力端子群
１０１０    出力端子
１０１１    出力端子
１０１２    出力端子
２００１    入力端子群
２００２    入力端子
２００３    入力端子
２００４    入力端子
２００５    出力端子群
２００６    出力端子
２００７    出力端子
２００８    出力端子
２００９    出力端子群
２０１０    出力端子
２０１１    出力端子
２０１２    出力端子
２５０１    入力端子群
２５０２    入力端子
２５０３    入力端子
２５０４    入力端子
２５０５    出力端子群
２５０６    出力端子
２５０７    出力端子
２５０８    出力端子
【図１】
2006196108.tif 000003
【図２】
2006196108.tif 000004
【図３】
2006196108.tif 000005
【図４】
2006196108.tif 000006
【図５】
2006196108.tif 000007
【図６】
2006196108.tif 000008